(57)【特許請求の範囲】
【請求項１】
リール本体に回転可能に支持されたスプール軸と、
このスプール軸の回転に連動して回転可能なスプールと、
このスプールを釣糸巻取駆動する巻取駆動機構と、
この巻取駆動機構の一部であるピニオンのスプール軸方向への移動によって、巻取駆動機構の動力をスプールに伝達可能な釣糸巻取可能状態と、スプールを釣糸巻取状態から釣糸放出可能なスプールフリー回転可能状態とに選択的に切換可能なクラッチ機構と、
スプールを釣糸巻取可能状態とフリー回転可能状態とに切り換える間、常時、ピニオンを軸受することが可能な軸受機構とを備えた魚釣用両軸受型リールであって、
軸受機構は、釣糸巻取可能状態においてピニオンの一端部分を軸受可能な第１の軸受ユニットと、フリー回転可能状態においてピニオンの他端部分を軸受可能な第２の軸受ユニットとを備えて構成されていると共に、
第１の軸受ユニットは、スプールと共に回転可能に構成されかつスプールとピニオンとの係合部側に位置し、また、第２の軸受ユニットは、スプールを釣糸巻取可能状態とフリー回転可能状態とに切り換える間、常時、ピニオンの他端部分を軸受することが可能な主軸受体と、フリー回転可能状態においてピニオンの他端部分を軸受することが可能な従軸受体とから構成されかつピニオンの他端部側に位置し、
スプールのフリー回転可能状態において、ピニオンは、その一端部分が第１の軸受ユニットに対して非接触状態となり、第２の軸受ユニットによって片持ち軸受されることを特徴とする魚釣用両軸受型リール。
【発明の詳細な説明】
【０００１】
【発明の属する技術分野】
本発明は、クラッチのＯＮ／ＯＦＦ切換を安定して且つスムーズに行うことが可能なクラッチ機構を備えた魚釣用両軸受型リールに関する。
【０００２】
【従来の技術】
従来から、魚釣用両軸受型リールには、スプール軸に対してピニオンを係合及び非係合させることによって、釣糸巻取可能状態（クラッチＯＮ）と釣糸繰出可能状態（クラッチＯＦＦ）とに選択的に切り換えることが可能なクラッチ機構が設けられている。
【０００３】
このようなクラッチ機構において、例えば実開昭５７−１５８３７２号公報や特開平１０−１３６８４８号公報には、釣糸繰出可能状態（クラッチＯＦＦ）でのスプールのフリー回転性を向上させるために、スプール軸を２分割してスプールに対する回転抵抗を軽減させる技術が開示されている。
【０００４】
【発明が解決しようとする課題】
しかしながら、上述したようなクラッチ機構では、スプールに高負荷が掛かったとき（例えば、魚が掛かったとき、仕掛けが重いとき）、２分割したスプール軸の分割部分が撓んでしまうため、釣糸巻取時の抵抗となり、その結果、スプールを円滑に回転させることが困難になってしまう。
【０００５】
かかる不具合を解消するために、例えばピニオンの両端を軸受で支持するように構成（実開昭５７−１５８３７２号公報参照）することも考えられるが、このような構成では、スプール軸に対してピニオンを非係合させた釣糸繰出可能状態（クラッチＯＦＦ）において、ピニオンが軸受から外れてしまう。この場合、釣糸巻取可能状態（クラッチＯＮ）に切り換える際に、スプール軸に対してピニオンを安定して且つスムーズに係合させるためには、ピニオンと軸受とスプール軸との間に機械的な高い芯出し精度が要求され、その結果、魚釣用両軸受型リールの製造コストが上昇してしまう。
【０００６】
そこで、例えばクラッチＯＮ／ＯＦＦ切換時にピニオンを常時支持していられるような寸法に軸受を長めに構成（特開平１０−１３６８４８号公報参照）することも考えられるが、このような構成では、スプール軸方向に軸受の長さ寸法を確保するためのスペースが別途必要となり、その結果、魚釣用両軸受型リールが大型化してしまう。
【０００７】
この場合、魚釣用両軸受型リールの大型化を防止しようとすれば、軸受の長さ寸法を短くして、その短めの軸受寸法内でピニオンを係合及び非係合させることも考えられるが、このような構成では、クラッチＯＮ時のスプール軸に対するピニオンの係合状態が浅い半クラッチ状態となり易くなる。この場合、例えば魚釣時の負荷が大きい大型リールや電動リールに、半クラッチ状態となり易いクラッチ機構を用いると、安定した釣糸巻取動作を行うことができなくなると共に、クラッチ機構自体が破損してしまう場合もある。
【０００８】
特に、電動リールにおいて、クラッチＯＮ時に、ピニオンは、スプールに固定された軸受部で支持されるものが一般的であり、クラッチＯＦＦ時のスプールのフリー回転性を確保するためには、クラッチＯＮからクラッチＯＦＦに切り換えた際に、ピニオンを軸受部から完全に離脱させて、軸受部に対してピニオンを非接触状態にさせることが好ましい。従って、電動リールでは、短めの軸受寸法内でピニオンを係合及び非係合させるような構成を適用することはできない。
【０００９】
本発明は、上述したような課題を解決するために成されており、その目的は、クラッチＯＦＦ時のスプールの回転性に影響を与えること無く、クラッチのＯＮ／ＯＦＦ切換を安定して且つスムーズに行うことが可能なクラッチ機構を備えた低価格で小型の魚釣用両軸受型リールを提供することにある。
【００１０】
【課題を解決するための手段】
このような目的を達成するために、本発明は、リール本体に回転可能に支持されたスプール軸と、このスプール軸の回転に連動して回転可能なスプールと、このスプールを釣糸巻取駆動する巻取駆動機構と、この巻取駆動機構の一部であるピニオンのスプール軸方向への移動によって、巻取駆動機構の動力をスプールに伝達可能な釣糸巻取可能状態と、スプールを釣糸巻取状態から釣糸放出可能なスプールフリー回転可能状態とに選択的に切換可能なクラッチ機構と、スプールを釣糸巻取可能状態とフリー回転可能状態とに切り換える間、常時、ピニオンを軸受することが可能な軸受機構とを備えた魚釣用両軸受型リールであって、
軸受機構は、釣糸巻取可能状態においてピニオンの一端部分を軸受可能な第１の軸受ユニットと、フリー回転可能状態においてピニオンの他端部分を軸受可能な第２の軸受ユニットとを備えて構成されていると共に、
第１の軸受ユニットは、スプールと共に回転可能に構成されかつスプールとピニオンとの係合部側に位置し、また、第２の軸受ユニットは、スプールを釣糸巻取可能状態とフリー回転可能状態とに切り換える間、常時、ピニオンの他端部分を軸受することが可能な主軸受体と、フリー回転可能状態においてピニオンの他端部分を軸受することが可能な従軸受体とから構成されかつピニオンの他端部側に位置し、
スプールのフリー回転可能状態において、ピニオンは、その一端部分が第１の軸受ユニットに対して非接触状態となり、第２の軸受ユニットによって片持ち軸受される。
【００１１】
【発明の実施の形態】
以下、本発明の一実施の形態に係る魚釣用両軸受型リールについて、添付図面を参照して説明する。
【００１２】
図１に示すように、リール本体２の左右フレーム４ａ，４ｂの間には、スプール軸６が軸受を介して回転可能に支持されており、このスプール軸６を囲繞するようにスプール８が配置されている。なお、左右フレーム４ａ，４ｂには、左右側板１０ａ，１０ｂが取り付けられている。
【００１３】
左右フレーム４ａ，４ｂの間には、スプール８（スプール軸６）よりも前側（釣糸繰出方向側）にスプール駆動モータ１２｛以下、モータという（図２及び図３参照）｝が保持されていると共に、このモータ１２の上方側には、スプール８に対して釣糸（図示しない）を平行に巻回させるレベルワインド機構（図示しない）が配置されている。
【００１４】
モータ１２は、連動歯車機構（図示しない）を介してスプール駆動用歯車１４に連結されており、このスプール駆動用歯車１４は、スプール軸６の一端側（左フレーム４ａ側）に回り止め嵌合されている。
【００１５】
レベルワインド機構は、モータ１２によってスプール８を釣糸巻取方向に回転させたときに、或いは、後述するハンドル操作によってスプール８を釣糸巻取方向に回転させたときに、その回転運動に連動して駆動させることができるように構成されている。
【００１６】
また、スプール軸６の他端側（右フレーム４ｂ側）には、第１及び第２の遊星ギヤ機構１６，１８から成る減速機構２０が設けられており、この減速機構２０は、スプール軸６の回転運動を第１の遊星ギヤ機構１６で減速させた後、更に、第２の遊星ギヤ機構１８で減速させてスプール８に伝達するように構成されている。
【００１７】
図２（ｂ）及び図３（ｂ）に示すように、第１の遊星ギヤ機構１６は、スプール軸６に回り止め嵌合された第１の太陽歯車２２と、この第１の太陽歯車２２に噛合した複数の第１の遊星歯車２４と、これら第１の遊星歯車２４が常時噛合するようにスプール８の端面に刻設された内歯歯車２６（図１参照）とを備えている。
【００１８】
第２の遊星ギヤ機構１８は、スプール軸６に対してフリー回転可能に設けられた第２の太陽歯車２８と、この第２の太陽歯車２８に噛合した複数の第２の遊星歯車３０とを備えており、複数の第２の遊星歯車３０は、上記の内歯歯車２６に常時噛合するようになっている。
【００１９】
複数の第１の遊星歯車２４は、夫々、第１のキャリア３２に支持されており、この第１のキャリア３２は、第２の太陽歯車２８に連結されている。複数の第２の遊星歯車３０は、夫々、第２のキャリア３４に支持されており、この第２のキャリア３４は、スプール８に取り付けられたブラケット３６に嵌合し且つ軸受を介してスプール軸６に回転可能に支持されている。なお、ブラケット３６は、他の軸受を介して右フレーム４ｂに回転可能に支持されている。
【００２０】
更に、図１〜図３に示すように、スプール軸６の他端側において、右フレーム４ｂと右側板１０ｂとの間には、クラッチレバー３８のＯＮ／ＯＦＦ切換操作に連動するクラッチ機構４０が配置されており、このクラッチ機構４０には、スプール軸６方向にスライドさせることが可能であって且つ上述の減速機構２０（具体的には、第２のキャリア３４）に対して係合又は非係合させることが可能なピニオン４２が設けられている。
【００２１】
本実施の形態において、ピニオン４２は、クラッチレバー３８のＯＮ／ＯＦＦ切換操作によって、減速機構２０（第２のキャリア３４）を介して間接的にスプール軸６に係合又は非係合させることができるようになっているが、例えばスプール軸６の他端側に減速機構２０を配置しないような魚釣用両軸受型リール（図示しない）では、ピニオン４２は、クラッチレバー３８のＯＮ／ＯＦＦ切換操作によって、直接的にスプール軸６に係合又は非係合させることができるようになっている。
【００２２】
ピニオン４２には、その外周面に円周溝４２ａが形成されており、この円周溝４２ａには、クラッチレバー３８のＯＮ／ＯＦＦ切換操作によってスプール軸６方向にスライドさせることが可能なスライド片４４が係合している。
【００２３】
スライド片４４は、特に図２（ａ）及び図３（ａ）に示すように、スプール軸６方向に延出した一対のガイド棒４６にガイドされながら、スプール軸６方向にスライドするようになっており、このスライド片４４をスプール軸方向にスライドさせるための構成として、クラッチ機構４０には、クラッチレバー３８のＯＮ／ＯＦＦ切換操作に連動して一定方向にスライド可能なスライドプレート４８が設けられている。
【００２４】
この場合、クラッチＯＮ状態（ピニオン４２が減速機構２０の第２のキャリア３４に対して係合した状態：図２（ｂ）参照）からクラッチＯＦＦ操作（クラッチレバー３８を下方に押圧操作）すると、そのクラッチＯＦＦ操作に連動してスライドプレート４８がスライドする。そして、このスライドプレート４８のスライド動作に連動して、スライド片４４は、一対のガイド棒４６にガイドされながら、スプール軸６方向にスライドする。このとき、スライド片４４が係合しているピニオン４２は、スライド片４４のスライド動作に連動して、第２のキャリア３４から離脱する。この結果、ピニオン４２を第２のキャリア３４に対して非係合状態即ちスプール８をフリー回転可能状態（クラッチＯＦＦ状態：図３（ｂ）参照）にすることができる。
【００２５】
これに対して、クラッチＯＦＦ状態（ピニオン４２が減速機構２０の第２のキャリア３４に対して非係合となっている状態：図３（ｂ）参照）からクラッチＯＮ操作（クラッチレバー３８を上方に引上操作）すると、そのクラッチＯＮ操作に連動してスライドプレート４８がスライドする。そして、このスライドプレート４８のスライド動作に連動して、スライド片４４は、一対のガイド棒４６にガイドされながら、スプール軸６方向にスライドする。このとき、スライド片４４が係合しているピニオン４２は、スライド片４４のスライド動作に連動して、第２のキャリア３４に係合する。この結果、ピニオン４２を第２のキャリア３４に対して係合状態（クラッチＯＮ状態：図２（ｂ）参照）にすることができる。
【００２６】
なお、スライドプレート４８には、位置決め保持用バネ（図示しない）が取り付けられており、この位置決め保持用バネの付勢力によって、スライドプレート４８をクラッチＯＮ状態（図２参照）とクラッチＯＦＦ状態（図３参照）に夫々位置決め保持させることができるようになっている。
【００２７】
また、図１〜図３に示すように、ピニオン４２には、ハンドル軸５０に取り付けられたドライブギヤ５２が噛合しており、このドライブギヤ５２とハンドル軸５０との間には、魚釣時にスプール８から釣糸（図示しない）が繰り出された際に、スプール８に所望のドラグ力を与えることが可能な周知のドラグ機構５４が配置されている。
【００２８】
なお、魚釣時に、モータ１２によってスプール８を釣糸巻取方向に回転させた際、これに連動してハンドル軸５０が回転するのを防止するために、ハンドル軸５０には、逆転防止機構が設けられている。
【００２９】
この逆転防止機構は、外周面にラチェット爪５６ａが所定ピッチで形成されたラチェット５６と、ラチェット爪５６ａに対して一定の付勢力で常時係合しているストッパ５８とを備えており、ラチェット５６は、ハンドル軸５０に回り止め嵌合されている。
【００３０】
このような逆転防止機構によれば、モータ１２によってスプール８を釣糸巻取方向に回転させる際には、ラチェット爪５６ａにストッパ５８が係合することによって、モータ１２の回転に連動してハンドル軸５０が回転するのを防止することができる。但し、ハンドル軸５０に取り付けられた手動ハンドル６０を回転操作して、スプール８を釣糸巻取方向に回転させる場合には、手動ハンドル６０の回転操作に連動して、ハンドル軸５０を回転させることができるようになっている。
【００３１】
ここで、クラッチレバー３８のＯＮ／ＯＦＦ切換操作によって、釣糸をスプール８から繰り出す動作及び釣糸をスプール８に巻き取る動作について、図１〜図３を参照して説明する。
【００３２】
まず、クラッチレバー３８をＯＦＦ操作すると（図３参照）、ピニオン４２が減速機構２０の第２のキャリア３４に対して非係合状態となるため、スプール８は、フリー回転可能状態に維持される。この状態において、釣糸は、仕掛けの自由落下によってスプール８から繰り出される。
【００３３】
そして、釣糸が所望量繰り出されたとき（例えば、仕掛けが所望の棚に到達したとき）、クラッチレバー３８をＯＮ操作すると（図２参照）、ピニオン４２が第２のキャリア３４に対して係合状態となるため、スプール８は、釣糸巻取可能状態に維持される。
【００３４】
この状態において、魚が掛かったとき、モータ１２を駆動させて、若しくは、手動ハンドル６０を回転操作して、スプール８を釣糸巻取方向に駆動させる。
【００３５】
まず、モータ１２を駆動させた場合、モータ１２の駆動力は、連動歯車機構（図示しない）を介してスプール駆動用歯車１４に伝達され、スプール軸６を釣糸繰出方向（釣糸巻取方向とは逆方向）に回転させる。そして、このスプール軸６の回転運動は、減速機構２０（第１の遊星ギヤ機構１６、第２の遊星ギヤ機構１８）を介してスプール８に伝達される。
【００３６】
第１の遊星ギヤ機構１６に伝達されたスプール軸６の回転運動は、スプール軸６に回り止め嵌合された第１の太陽歯車２２を釣糸繰出方向に回転させる。このとき、第１の太陽歯車２２に噛合している複数の第１の遊星歯車２４は、釣糸巻取方向に自転しながら同時に、第１の太陽歯車２２の回りを釣糸繰出方向に公転する。
【００３７】
この状態において、複数の第１の遊星歯車２４の自転運動は、スプール８の端面に刻設された内歯歯車２６に伝達され、この内歯歯車２６を釣糸巻取方向に回転させる。この結果、内歯歯車２６が刻設されたスプール８を、第１の遊星ギヤ機構１６によって減速させた状態で釣糸巻取方向に回転させることができる。
【００３８】
また、複数の第１の遊星歯車２４が釣糸繰出方向に公転すると、その公転運動に引きずられて、これら第１の遊星歯車２４を支持している第１のキャリア３２が釣糸繰出方向に回転し、その回転運動は、第２の遊星ギヤ機構１８に伝達される。
【００３９】
第２の遊星ギヤ機構１８に伝達された第１のキャリア３２の回転運動は、この第１のキャリア３２に連結し且つスプール軸６に対してフリー回転可能な第２の太陽歯車２８に伝達されて、この第２の太陽歯車２８を釣糸繰出方向に回転させる。このとき、第２の太陽歯車２８に噛合し且つ第２のキャリア３４に支持されている複数の第２の遊星歯車３０には、これら第２の遊星歯車３０を釣糸巻取方向に自転させながら同時に、第２の太陽歯車２８の回りを釣糸繰出方向に公転させる力が働き、その公転運動によって、第２のキャリア３４には、釣糸繰出方向に回転させる力が作用する。
【００４０】
しかしながら、上述した逆転防止機構によってハンドル軸６の回転が規制されているため、このハンドル軸６にドライブギヤ５２を介して連結したピニオン４２の回転も規制される。この結果、このピニオン４２が係合した第２のキャリア３４は、回転すること無く一定位置に静止した状態に維持される。
【００４１】
従って、第２の太陽歯車２８が釣糸繰出方向に回転したとき、第２のキャリア３４に支持された複数の第２の遊星歯車３０は、第２の太陽歯車２８の回りを公転すること無く、一定位置で釣糸巻取方向に自転する。
【００４２】
この状態において、複数の第２の遊星歯車２８の自転運動は、スプール８の端面に刻設された内歯歯車２６に伝達され、この内歯歯車２６を釣糸巻取方向に回転させる。この結果、内歯歯車２６が刻設されたスプール８を、第２の遊星ギヤ機構１８によって減速させた状態で釣糸巻取方向に回転させることができる。
【００４３】
このように、スプール軸６の回転運動を減速機構２０（第１の遊星ギヤ機構１６、第２の遊星ギヤ機構１８）を介してスプール８に伝達して、このスプール８を釣糸巻取方向に回転させている間、同時に、レベルワインド機構（図示しない）が駆動することによって、釣糸をスプール８に対して平行に巻回させることができる。
【００４４】
これに対して、手動ハンドル６０を回転操作した場合、手動ハンドル６０の回転運動は、ハンドル軸６からドラグ機構５４を介してドライブギヤ５２に伝達された後、ピニオン４２から減速機構２０（具体的には、第２のキャリア３４）に伝達され、この第２のキャリア３４を釣糸巻取方向に回転させる。
【００４５】
第２のキャリア３４には、複数の第２の遊星歯車３０が支持されているため、第２のキャリア３４が釣糸巻取方向に回転すると、この回転運動は、複数の第２の遊星歯車３０から第２の太陽歯車２８を介して第１のキャリア３２に伝達された後、この第１のキャリア３２に支持されている複数の第１の遊星歯車２４を介して第１の太陽歯車２２に伝達され、この第１の太陽歯車２２を回転させようとする。
【００４６】
しかしながら、第１の太陽歯車２２が回り止め嵌合したスプール軸６は、図示しない回転規制機構によって、その回転が停止された状態になっているため、第１の太陽歯車２２は、回転することは無い。従って、複数の第１の遊星歯車２２は、非回転状態の第１の太陽歯車２２の回りを自転しながら釣糸巻取方向に公転する。
【００４７】
このとき、複数の第１の遊星歯車２２の回転運動は、ロス無く内歯歯車２６に伝達され、この内歯歯車２６を釣糸巻取方向に回転させる。この結果、内歯歯車２６が刻設されたスプール８を釣糸巻取方向に回転させることができる。この間同時に、レベルワインド機構が駆動することによって、釣糸をスプール８に対して平行に巻回させることができる。
【００４８】
なお、上述の動作説明では、クラッチレバー３８によってクラッチＯＦＦからＯＮに復帰操作する場合について説明したが、手動ハンドル６０を回転操作することによってクラッチＯＦＦからＯＮに復帰操作させることもできる。
【００４９】
図２（ａ）及び図３（ａ）に示すように、ハンドル軸５０に回り止め嵌合されたラチェット５６には、クラッチ復帰用ピン６２が取り付けられており、クラッチＯＦＦ状態（図３参照）において、手動ハンドル６０を回転操作すると、その回転運動は、ハンドル軸５０からラチェット５６に伝達され、このラチェット５６を図３中矢印Ｓ方向に回転させる。このとき、ラチェット５６に取り付けられたクラッチ復帰用ピン６２が、矢印Ｓ方向に移動してスライドプレート４８に当接し、このスライドプレート４８を位置決め保持用バネ（図示しない）の付勢力に抗してスライドさせる。この結果、クラッチＯＦＦ状態（図３参照）に位置決め保持されていたスライドプレート４８は、クラッチＯＮ状態（図２参照）に位置決め保持され、それによって、クラッチＯＦＦからＯＮへの復帰操作が完了する。
【００５０】
ところで、クラッチＯＦＦ時（スプール８のフリー回転可能状態）において、釣糸をスプール８から繰り出す際、モータ１２は、停止させておくことが一般的である。この場合、モータ１２に機械的に連結しているスプール軸６は、非回転状態に維持されているため、このスプール軸６に回り止め嵌合された第１の太陽歯車２２も非回転状態に維持されている。
【００５１】
この状態で、スプール８を釣糸繰出方向にフリー回転させると、スプール８には、非回転状態の第１の太陽歯車２２を含んだ減速機構２０（第１及び第２の遊星ギヤ機構１６，１８）のギヤ抵抗が作用してしまう。このようなギヤ抵抗を無くする或いは軽減する方法としては、スプール８のフリー回転による釣糸繰出時に、例えばスプール８に対して所定の回転力を付加する方法が挙げられる。
【００５２】
そこで、本実施の形態の魚釣用両軸受型リールには、モータ１２の駆動力を釣糸繰出時（クラッチＯＦＦ時）に利用することによって、釣糸繰出時のスプール８に加わるギヤ抵抗を軽減或いは無くして釣糸繰出動作を円滑に行うための糸送り機構が設けられている。
【００５３】
図１に示すように、糸送り機構には、スプール軸６の外周面に配置された遠心カラー６４が設けられており、この遠心カラー６４は、スプール軸６の回転運動（回転速度）に応じた遠心力によって、その外径寸法が拡大して、スプール８の内周面８ａに最適な摩擦力で接触するように設計されている。
【００５４】
遠心カラー６４としては、例えばＯリングやブレーキシュー等を適用することが可能であり、スプール軸６が非回転状態にあるとき、遠心カラー６４の外周面とスプール８の内周面８ａとの間に若干の隙間が形成されるように、遠心カラー６４は、その形状及び配置が規定されている。
【００５５】
このような糸送り機構を始動させるタイミングは、クラッチＯＦＦ時の釣糸繰出前に予め又は事後的に任意に設定することが可能である。
【００５６】
例えば予め糸送りを設定した場合において、仕掛けの自由落下によってスプール８から釣糸が繰り出されて、スプール８が所定の回転速度に達したとき（例えば、仕掛けの落下速度が安定したとき）、モータ１２を駆動させると、スプール軸６は、釣糸繰出時のスプール８の回転方向と同一方向に回転し始める。
【００５７】
そして、スプール軸６の回転速度が上昇すると、遠心カラー６４に働く遠心力が増加する。この結果、遠心カラー６４は、その外径寸法が拡大して、スプール８の内周面８ａに接触する。このとき、スプール軸６の回転運動が、遠心カラー６４を介してスプール８に伝達され、スプール８に対して最適な回転力が付加される。
【００５８】
また、本実施の形態に適用したクラッチ機構には、クラッチＯＮ／ＯＦＦ切換操作中、常時、ピニオン４２を一定の精度で軸受して且つ安定して円滑にスライドさせることが可能な軸受機構が設けられている。
【００５９】
図２〜図４に示すように、軸受機構は、クラッチＯＮ時（図２参照）にピニオン４２の一端部分Ｐ１（減速機構２０の第２のキャリア３４に係合される部分）を軸受可能な第１の軸受ユニット６６と、クラッチＯＦＦ時（図３参照）にピニオン４２の他端部分Ｐ２を軸受可能な第２の軸受ユニット６８とを備えて構成されている。
【００６０】
第１の軸受ユニット６６は、スプール８と共に回転することができるように構成されており、この場合、スプール８と一体的に形成したり、或いは、スプール８とは別体で形成することができる。第１の軸受ユニット６６をスプール８とは別体で形成する場合、第１の軸受ユニット６６は、接続部材（例えば、上述したブラケット３６）を介してスプール８にネジ止めすれば良い。
【００６１】
また、第１の軸受ユニット６６は、ピニオン４２を第２のキャリア３４に係合させたとき（クラッチＯＮ時）、ピニオン４２の一端部分Ｐ１をガタ付くこと無く軸受することができるように構成されていると共に、その先端側（ピニオン４２の一端部分Ｐ１に対向した側）には、ピニオン４２を第２のキャリア３４に係合させて行く間（クラッチＯＦＦからＯＮへの移行時、即ち、ピニオン４２の一端部分Ｐ１を第１の軸受ユニット６６で軸受する際）、ピニオン４２の一端部分Ｐ１を第１の軸受ユニット６６内（具体的には、第２のキャリア３４方向）に安定して誘導することが可能な誘導傾斜部６６ａが形成されている。
【００６２】
誘導傾斜部６６ａは、先端側に向かうに従って太径化した先広がり状のテーパが施されており、クラッチＯＦＦからＯＮへの移行時には、この誘導傾斜部６６ａによってピニオン４２の一端部分Ｐ１を第２のキャリア３４方向に安定して誘導できるように構成されていると共に、クラッチＯＦＦ時（図３参照）には、第２のキャリア３４から離脱したピニオン４２の一端部分Ｐ１が、誘導傾斜部６６ａから完全に離間した非接触状態となるように構成されている。即ち、このクラッチＯＦＦ時には、ピニオン４２の一端部分Ｐ１は、スプール８と共に回転する第１の軸受ユニット６６から完全に外れた非接触状態となる。
【００６３】
一方、第２の軸受ユニット６８は、右側板１０ｂに取り付けられており、クラッチＯＮ／ＯＦＦ切換操作中、常時、ピニオン４２の他端部分Ｐ２を軸受することが可能な主軸受体７０と、クラッチＯＦＦ時にピニオン４２の他端部分Ｐ２を軸受することが可能な従軸受体７２とから構成されている。
【００６４】
主軸受体７０は、ピニオン４２寄りに配置され、従軸受体７２は、右側板１０ｂ寄りに配置されており、従軸受体７２には、その先端側（ピニオン４２の他端部分Ｐ２に対向した側）に、ピニオン４２を第２のキャリア３４に対して非係合状態にして行く間（クラッチＯＮからＯＦＦへの移行時、即ち、ピニオン４２に他端部分Ｐ２を第２の軸受ユニット６８で軸受する際）、ピニオン４２の他端部分Ｐ２を第２の軸受ユニット６８内（具体的には、従軸受体７２内）に安定して誘導することが可能な誘導傾斜部７２ａが形成されている。
【００６５】
誘導傾斜部７２ａは、その先端側に向かうに従って太径化した先広がり状のテーパが施されており、クラッチＯＮからＯＦＦへの移行時には、この誘導傾斜部７２ａによってピニオン４２の他端部分Ｐ２を安定して従軸受体７２内に誘導することができるようになっている。
【００６６】
なお、第２の軸受ユニット６８において、主軸受体７０と従軸受体７２とは、必ずしも別体で構成する必要は無く、互いに一体化させて構成しても良い。
【００６７】
このような軸受機構によれば、クラッチＯＮ時（図４（ａ）参照）には、ピニオン４２は、その両端が第１及び第２の軸受ユニット６６，６８で軸受される。具体的には、ピニオン４２の一端部分Ｐ１が、第１の軸受ユニット６６で軸受され、同時に、ピニオン４２の他端部分Ｐ２が、第２の軸受ユニット６８（具体的には、主軸受体７０）で軸受される。
【００６８】
続いて、クラッチＯＮからＯＦＦへの移行時（図４（ｂ）参照）には、ピニオン４２は、その両端が第１及び第２の軸受ユニット６６，６８で軸受されながら移動する。具体的には、ピニオン４２は、その一端部分Ｐ１が第１の軸受ユニット６６で軸受され且つその他端部分Ｐ２が主軸受体７０で軸受されながら移動して行き、その他端部分Ｐ２が従軸受体７２の誘導傾斜部７２ａによって誘導される。
【００６９】
そして、図４（ｃ）に示すように、ピニオン４２の一端部分Ｐ１が第２のキャリア３４から離脱する前後において（別の言い方をすると、ピニオン４２の一端部分Ｐ１が第１の軸受ユニット６６から外れる前後において）、ピニオン４２の他端部分Ｐ２は、従軸受体７２で軸受される。この状態において、ピニオン４２の他端部分Ｐ２は、第２の軸受ユニット６８を構成する主軸受体７０と従軸受体７２とによって軸受される。
【００７０】
その後、クラッチＯＦＦ時（図４（ｄ）参照）において、第２のキャリア３４から離脱したピニオン４２の一端部分Ｐ１は、第１の軸受ユニット６６（誘導傾斜部６６ａ）から完全に離間した非接触状態となると同時に、ピニオン４２の他端部分Ｐ２は、第２の軸受ユニット６８を構成する主軸受体７０と従軸受体７２とによって軸受される。この状態において、ピニオン４２は、第２の軸受ユニット６８によって片持ち軸受された状態となるが、このピニオン４２の他端部分Ｐ２は、主軸受体７０と従軸受体７２とによって２箇所で軸受される。このような軸受状態によれば、ピニオン４２の両端（一端部分Ｐ１、他端部分Ｐ２）を軸受した状態と同一の軸受状態で、ピニオン４２を片持ち軸受することができる。
【００７１】
また、クラッチをＯＦＦ（図４（ｄ）参照）からＯＮ（図４（ａ）参照）に復帰させる場合、そのクラッチＯＦＦからＯＮへの移行時（図４（ｃ），（ｂ）参照）において、ピニオン４２の一端部分Ｐ１は、第１の軸受ユニット６６の誘導傾斜部６６ａによって第２のキャリア３４方向に誘導される。この移行時において、ピニオン４２の一端部分Ｐ１が第１の軸受ユニット６６に軸受されるまで、ピニオン４２の他端部分Ｐ２は、第２の軸受ユニット６８を構成する主軸受体７０と従軸受体７２とによって軸受される。
【００７２】
そして、図４（ａ）に示すように、ピニオン４２の一端部分Ｐ１が第１の軸受ユニット６６に軸受されたとき（クラッチＯＮ時）、ピニオン４２は、その両端（一端部分Ｐ１、他端部分Ｐ２）が第１及び第２の軸受ユニット６６，６８で軸受される。具体的には、ピニオン４２の一端部分Ｐ１が、第１の軸受ユニット６６で軸受され、同時に、ピニオン４２の他端部分Ｐ２が、第２の軸受ユニット６８（具体的には、主軸受体７０）で軸受される。
【００７３】
また、上述したようなクラッチＯＮ／ＯＦＦ切換操作中、ピニオン４２を更に円滑に第１及び第２の軸受ユニット６６，６８に誘導させるために、ピニオン４２の一端部分Ｐ１及び他端部分Ｐ２に夫々面取りを施して、先細りテーパ状の誘導傾斜部Ｒ（図４（ｂ），（ｃ）参照）を形成しても良い。
【００７４】
このように本実施の形態に適用した軸受機構によれば、クラッチＯＮ／ＯＦＦ切換操作中、常時、ピニオン４２を一定の精度で軸受して且つ安定して円滑にスライドさせることができる。従って、従来、右側板１０ｂにインサート成形されていたピニオン軸受用軸体（図示しない）が不要となる。右側板１０ｂにピニオン軸受用軸体がインサート成形されている場合、右側板１０ｂをリール本体２に組み付ける際には、ピニオン軸受用軸体をピニオン４２に挿通させるように、リール本体２に対する右側板１０ｂの組み付け角度や組み付け方法が限定されていた。しかし、本実施の形態に適用した軸受機構によれば、クラッチＯＮ／ＯＦＦ切換操作中、常時、ピニオン４２は、第１及び第２の軸受ユニット６６，６８で軸受されるため、ピニオン軸受用軸体が不要となり、その結果、リール本体２に対する右側板１０ｂの組み付けが容易になる。
【００７５】
また、ピニオン４２を第１及び第２の軸受ユニット６６，６８だけで軸受できるため、リール本体２内の省スペース化が実現され、その結果、魚釣用両軸受型リールのコンパクト化を図ることが可能となる。
【００７６】
更に、このようにピニオン軸受用軸体が不要となった結果、魚釣用両軸受型リールの部品点数を削減することができるため、リールの軽量化と共に低価格化を図ることができる。
【００７７】
また、本実施の形態に適用した軸受機構によれば、クラッチＯＦＦ時（図３及び図４（ｄ）参照）には、ピニオン４２の一端部分Ｐ１は、スプール８と共に回転する第１の軸受ユニット６６から完全に外れた非接触状態となる。この結果、スプール８のフリー回転性を更に向上させることができる。
【００７８】
更に、軸受機構の第１及び第２の軸受ユニット６６，６８に夫々誘導傾斜部６６ａ，７２ａを形成したことによって、クラッチＯＮ／ＯＦＦ切換操作時に、ピニオン４２を第１及び第２の軸受ユニット６６，６８に安定して円滑に誘導することができる。
【００７９】
なお、上述した実施の形態において、第１の軸受ユニット６６をスプール８と共に回転するように構成しているが、これに限定されることは無く、例えば、スプール８とピニオン４２との係合部側において、第１の軸受ユニット６６をベアリングを介してリール本体２に軸支させるように構成しても良い。
【００８０】
【発明の効果】
本発明によれば、クラッチＯＦＦ時のスプールの回転性に影響を与えること無く、クラッチのＯＮ／ＯＦＦ切換を安定して且つスムーズに行うことが可能なクラッチ機構を備えた低価格で小型の魚釣用両軸受型リールを提供することができる。
【図面の簡単な説明】
【図１】本発明の一実施の形態に係る魚釣用両軸受型リールの構成を示す図。
【図２】クラッチＯＮ状態のクラッチ機構の構成を示す図であって、（ａ）は、図１のＡ−Ａ線に沿う部分断面図、（ｂ）は、ピニオンが減速機構に係合した状態を示す断面図。
【図３】クラッチＯＦＦ状態のクラッチ機構の構成を示す図であって、（ａ）は、図１のＡ−Ａ線に沿う部分断面図、（ｂ）は、ピニオンが減速機構に対して非係合となった状態を示す断面図。
【図４】クラッチＯＮ／ＯＦＦ切換操作中、常時、ピニオンが軸受機構によって軸受されている状態を示す図であって、（ａ）は、クラッチＯＮ状態を示す断面図、（ｂ）及び（ｃ）は、クラッチＯＮ／ＯＦＦ切換の移行状態を示す断面図、（ｄ）は、クラッチＯＦＦ状態を示す断面図。
【符号の説明】
４２  ピニオン
６６  第１の軸受ユニット
６８  第２の軸受ユニット
７０  主軸受体
７２  従軸受体
Ｐ１  ピニオンの一端部分
Ｐ２  ピニオンの他端部分
【図１】
0003597085.tif 000002
【図２】
0003597085.tif 000003
【図３】
0003597085.tif 000004
【図４】
0003597085.tif 000005